(57)【要約】【課題】  簡易な構成で用紙の重送を正確に検出して銀行業務を円滑に行うことが可能な小切手処理装置、小切手処理装置用ホストコンピュータ及び小切手処理方法を提供する。【解決手段】  小切手処理システム１は、小切手処理装置１００と、小切手処理装置１００と通信可能に接続されたホストコンピュータ２００とを備えている。小切手処理装置１００は、小切手情報を小切手Ｓから取得しホストコンピュータ２００に送信した後、一旦小切手Ｓを停止させる。そして、ホストコンピュータ２００は、受信した小切手情報に基づいて小切手処理装置１００における小切手重送の有無を確認し、確認結果に応じて小切手処理装置１００に小切手Ｓへの印字を指示する印字指示を行う。小切手処理装置１００は、印字指示を受信した後に、小切手Ｓへの裏書き印字を実行する。【選択図】  図１
2005149013.tif 000002
【特許請求の範囲】
【請求項１】
ホストコンピュータと通信可能に接続された小切手処理装置であって、
小切手を用紙搬送路に沿って一枚ずつ送り出す給紙部と、
前記小切手に関する小切手情報を取得する情報読取センサと、
前記小切手情報を前記ホストコンピュータに送信する送信部と、
前記小切手情報の送信後に前記ホストコンピュータから印字指示を受信する通信制御部と、
前記印字指示に応じて前記小切手に印字を行う印字部と、を備えたことを特徴とする小切手処理装置。
【請求項２】
前記情報読取センサは、
前記用紙搬送路に沿って配置されかつ前記小切手の画像情報を小切手情報として取得する画像読取センサと、
前記用紙搬送路に沿って配置されかつ前記小切手に印字された磁気文字から磁気文字情報を前記小切手情報として読み取るＭＩＣＲと、
前記用紙搬送路を搬送される前記小切手の厚さ情報を検出する重送検出器と、
を備えることを特徴とする請求項１記載の小切手処理装置。
【請求項３】
前記通信制御部は、前記厚さ情報に基づく重送確認、前記画像読取センサが取得した画像情報に基づく重送確認、及び前記ＭＩＣＲが取得した磁気文字情報に基づく重送確認が問題なかった場合に、前記印字指示を受信することを特徴とする請求項２記載の小切手処理装置。
【請求項４】
小切手処理装置と通信可能に接続された小切手処理装置用ホストコンピュータであって、
前記小切手処理装置に前記小切手に関する小切手情報の取得指示を送信する送信部と、
前記小切手処理装置から前記小切手情報を受信する受信部と、
前記小切手情報に基づいて前記小切手処理装置における小切手重送の有無を確認し、前記確認結果に応じて前記小切手処理装置に前記小切手への裏書きを指示する制御部と、を備えたことを特徴とする小切手処理装置用ホストコンピュータ。
【請求項５】
前記小切手情報は、前記用紙搬送路を搬送される前記小切手の厚さ情報と、前記小切手の画像情報と、前記小切手に印字された磁気文字から取得した磁気文字情報と、を有することを特徴とする請求項４記載の小切手処理装置用ホストコンピュータ。
【請求項６】
前記制御部は、前記厚さ情報に基づく重送確認、前記画像情報に基づく重送確認、及び前記磁気文字情報に基づく重送確認を行い、前記小切手の重送が検出されなかった場合に前記印字指示を送信することを特徴とする請求項５記載の小切手処理装置用ホストコンピュータ。
【請求項７】
前記小切手処理装置から受信した前記厚さ情報、前記画像情報、及び前記磁気文字情報を表示する表示部と、
前記表示部に表示された前記厚さ情報、前記画像情報、及び前記磁気文字情報の正否を入力可能な入力部と、を有することを特徴とする請求項５または６記載の小切手処理装置用ホストコンピュータ。
【請求項８】
前記画像情報は、前記小切手の表面画像情報と裏面画像情報とを備え、
前記制御部は、前記表面画像情報と前記裏面画像情報とを比較することにより前記重送を検出することを特徴とする請求項５〜７の何れか１項に記載の小切手処理装置用ホストコンピュータ。
【請求項９】
前記制御部は、前記磁気文字情報が正しく読み取れているかどうかを確認することにより前記重送を検出することを特徴とする請求項５〜８の何れか１項に記載の小切手処理装置用ホストコンピュータ。
【請求項１０】
前記制御部は、前記前記磁気文字情報が正しく読み取れているかどうかを確認することにより前記重送を検出することを特徴とする請求項５〜８の何れか１項に記載の小切手処理装置用ホストコンピュータ。
【請求項１１】
小切手処理装置と、前記小切手処理装置と通信可能に接続されたホストコンピュータとを備えた小切手処理システムであって、
（ａ）前記小切手処理装置は、
小切手を用紙搬送路に沿って一枚ずつ送り出す給紙部と、
前記小切手に関する小切手情報を取得する情報読取センサと、
前記小切手情報を前記ホストコンピュータに送信する送信部と、
前記小切手情報の送信後に前記ホストコンピュータから印字指示を受信する通信制御部と、
前記印字指示に応じて前記小切手に印字を行う印字部と、を備え、
（ｂ）前記ホストコンピュータは、
前記小切手処理装置に前記小切手情報の取得指示を送信する送信部と、
前記小切手処理装置から前記小切手情報を受信する受信部と、
前記小切手情報に基づいて前記小切手処理装置における小切手重送の有無を確認し、前記確認結果に応じて前記小切手処理装置に前記小切手への印字を指示する印字指示を行う制御部と、を備えたことを特徴とする小切手処理システム。
【請求項１２】
前記情報読取センサは、
前記用紙搬送路に沿って配置されかつ前記小切手の画像情報を小切手情報として取得する画像読取センサと、
前記用紙搬送路に沿って配置されかつ前記小切手に印字された磁気文字から磁気文字情報を前記小切手情報として読み取るＭＩＣＲと、
前記用紙搬送路を搬送される前記小切手の厚さ情報を検出する重送検出器と、を備えたことを特徴とする請求項１１記載の小切手処理システム。
【請求項１３】
前記制御部は、前記厚さ情報に基づく重送確認、前記画像情報に基づく重送確認、及び前記磁気文字情報に基づく重送確認を行い、前記小切手の重送が検出されなかった場合に前記印字指示を送信することを特徴とする請求項１２記載の小切手処理システム。
【請求項１４】
前記ホストコンピュータは、
前記小切手処理装置から受信した前記厚さ情報、前記画像情報、及び前記磁気文字情報を表示する表示部と、
前記表示部に表示された前記厚さ情報、前記画像情報、及び前記磁気文字情報の正否を入力可能な入力部と、を有することを特徴とする請求項１２または１３記載の小切手処理システム。
【請求項１５】
前記画像情報は、前記小切手の表面画像情報と裏面画像情報とを備え、
前記制御部は、前記表面画像情報と前記裏面画像情報とを比較することにより前記重送を検出することを特徴とする請求項１２〜１４の何れか１項に記載の小切手処理システム。
【請求項１６】
前記制御部は、前記磁気文字情報が正しく読み取れているかどうかを確認することにより前記重送を検出することを特徴とする請求項１２〜１５の何れか１項に記載の小切手処理システム。
【請求項１７】
前記制御部は、前記前記磁気文字情報が正しく読み取れているかどうかを確認することにより前記重送を検出することを特徴とする請求項１２〜１６の何れか１項に記載の小切手処理システム。
【請求項１８】
小切手処理装置と、前記小切手処理装置と通信可能に接続されたホストコンピュータとを備えた小切手処理システムにおける小切手処理方法であって、
小切手を用紙搬送路に沿って一枚ずつ送り出すステップと、
前記小切手に関する小切手情報を取得するステップと、
前記小切手情報を前記ホストコンピュータに送信するステップと、
前記小切手情報に基づいて、前記小切手処理装置に前記小切手への裏書きを指示するステップと、
前記印字指示に応じて前記小切手に印字ステップと、を備えたことを特徴とする小切手処理方法。
【請求項１９】
前記小切手情報は、前記小切手の画像情報と、前記小切手に印字された磁気文字から取得した磁気文字情報と、前記小切手の厚さ情報とを有することを特徴とする請求項１８記載の小切手処理方法。
【請求項２０】
前記画像情報、前記磁気文字情報、及び前記厚さ情報を表示するステップと、
前記画像表示部に表示された前記画像情報、前記磁気文字情報、及び前記厚さ情報に対する確認入力を受け付けるステップと、
前記確認結果に応じて、前記小切手が単独で搬送されていると判断するステップと、
前記小切手処理装置に前記小切手への裏書きを指示するステップと、を備えたことを特徴とする請求項１８または１９記載の小切手処理方法。
【発明の詳細な説明】
【技術分野】
【０００１】
本発明は、小切手処理装置、小切手処理装置用ホストコンピュータ及び小切手処理方法に関する。
【背景技術】
【０００２】
欧米を中心として、小切手を利用した決済システムが広く普及している。この決済システムにおいては、様々な支払いや送金が小切手の授受によって行われる。使用された小切手は、最終的に銀行に持ち込まれ入金，換金等が行われる。
【０００３】
銀行の各支店の窓口では、短時間に多量の小切手が処理される。支店の窓口担当の銀行員は、小切手自体の確認、日付の確認、署名の照合等を行った後に入金や換金を行う。また、銀行員は、処理した小切手に裏書を行い、必要に応じてレシートを発行する。また銀行員は、本人確認のために免許証やＩＤカードの提示を顧客に求め、必要に応じて複写機でこの免許証やＩＤカードのコピーを取得したり、スキャナで小切手を読み込んだりして小切手の画像を保管している。
【０００４】
近年、小切手処理の効率化を図るために、小切手を電磁的に読み込み決済する試みが始められている。この一環として小切手の電磁的読み込み作業を銀行の窓口で行おうとする試みも始められてきており、窓口に設置可能な小型の小切手処理装置も提案されている。
【０００５】
この小切手処理装置には、小切手搬送路上に磁気インク読み込み装置、スキャナ及び印刷装置が備えられている。顧客から小切手を受け取った銀行員が、小切手を小切手処理装置に通すと、小切手処理装置は小切手上に記録された磁気インク文字や小切手上の画像を読み込み、また小切手に裏書を行うように構成されている（特許文献１参照）。
【０００６】
また、出願人は、特願２００３―０６６７４７において、小切手と運転免許証等のカードの双方の画像を読取可能な複合処理装置を提案している。この複合処理装置では、小切手の搬送経路とカードの搬送経路が一部重複しており、この一部重複箇所に密着型の画像読取センサを配置することで、小切手とカードを一つの画像読取センサで読取可能に構成されている。
【特許文献１】特開２０００−３４４４２８号公報
【発明の開示】
【発明が解決しようとする課題】
【０００７】
一般に、この種の媒体搬送型の小切手処理装置は、例えば、２枚の小切手が重なった状態で用紙搬送路を搬送される、いわゆる重送（ダブルフィード）の問題を構造上内包している。この問題を解決するためには、例えば、直接または間接的に用紙の厚みを検出することにより重送を検出する検出器を小切手処理装置に設けることが考えられる。
【０００８】
しかしながら、重送検出装置による重送検出は確実なものではないため、装置の誤作動等の何らかの理由により重送検出装置により重送が検出されなかった場合には、例えば表側の小切手の処理だけが行われ、裏側の小切手に対する処理が為されず、裏側の小切手に関する処理記録が小切手処理装置、ひいては銀行の端末側に残らない可能性がある。この場合には、裏側の小切手自身は、処理済の小切手として扱われてしまうため、後ほど処理済の小切手の束から未処理の小切手を探しだし、再度小切手処理装置において処理するという非常に煩雑な作業を行わなければならない。
【０００９】
一方、小切手処理装置が処理済の小切手に対して裏書き等の処理済を示す印字を行う場合には、重送が検出されなかった２枚の重なり合った小切手のうち裏側の小切手に対して裏書き印字が行われ、実際に磁気文字が読み取られた表側の小切手に対しては、処理済の裏書きが行われないといったやっかいな問題が生じる可能性がある。
【００１０】
本発明は、上記問題を鑑み、簡易な構成で用紙の重送を正確に検出して銀行業務を円滑に行うことが可能な小切手処理装置、小切手処理装置用ホストコンピュータ及び小切手処理方法を提供することを目的とする。
【課題を解決するための手段】
【００１１】
本発明の上記目的は、以下の手段により達成される。
（１）ホストコンピュータと通信可能に接続された小切手処理装置であって、
小切手を用紙搬送路に沿って一枚ずつ送り出す給紙部と、
前記小切手に関する小切手情報を取得する情報読取センサと、
前記小切手情報を前記ホストコンピュータに送信する送信部と、
前記小切手情報の送信後に前記ホストコンピュータから印字指示を受信する通信制御部と、
前記印字指示に応じて前記小切手に印字を行う印字部と、を備えたことを特徴とする小切手処理装置。
（２）前記情報読取センサは、
前記用紙搬送路に沿って配置されかつ前記小切手の画像情報を小切手情報として取得する画像読取センサと、
前記用紙搬送路に沿って配置されかつ前記小切手に印字された磁気文字から磁気文字情報を前記小切手情報として読み取るＭＩＣＲと、
前記用紙搬送路を搬送される前記小切手の厚さ情報を検出する重送検出器と、
を備えることを特徴とする（１）記載の小切手処理装置。
（３）前記通信制御部は、前記厚さ情報に基づく重送確認、前記画像読取センサが取得した画像情報に基づく重送確認、及び前記ＭＩＣＲが取得した磁気文字情報に基づく重送確認が問題なかった場合に、前記印字指示を受信することを特徴とする（２）記載の小切手処理装置。
（４）  小切手処理装置と通信可能に接続された小切手処理装置用ホストコンピュータであって、
前記小切手処理装置に前記小切手に関する小切手情報の取得指示を送信する送信部と、
前記小切手処理装置から前記小切手情報を受信する受信部と、
前記小切手情報に基づいて前記小切手処理装置における小切手重送の有無を確認し、前記確認結果に応じて前記小切手処理装置に前記小切手への裏書きを指示する制御部と、を備えたことを特徴とする小切手処理装置用ホストコンピュータ。
（５）  前記小切手情報は、前記用紙搬送路を搬送される前記小切手の厚さ情報と、前記小切手の画像情報と、前記小切手に印字された磁気文字から取得した磁気文字情報と、を有することを特徴とする（４）記載の小切手処理装置用ホストコンピュータ。
（６）  前記制御部は、前記厚さ情報に基づく重送確認、前記画像情報に基づく重送確認、及び前記磁気文字情報に基づく重送確認を行い、前記小切手の重送が検出されなかった場合に前記印字指示を受信することを特徴とする（５）記載の小切手処理装置用ホストコンピュータ。
（７）  前記小切手処理装置から受信した前記厚さ情報、前記画像情報、及び前記磁気文字情報を表示する表示部と、
前記表示部に表示された前記厚さ情報、前記画像情報、及び前記磁気文字情報の正否を入力可能な入力部と、を有することを特徴とする（５）または（６）記載の小切手処理装置用ホストコンピュータ。
（８）  前記画像情報は、前記小切手の表面画像情報と裏面画像情報とを備え、
前記制御部は、前記表面画像情報と前記裏面画像情報とを比較することにより前記重送を検出することを特徴とする（５）〜（７）の何れか１項に記載の小切手処理装置用ホストコンピュータ。
（９）  前記制御部は、前記磁気文字情報が正しく読み取れているかどうかを確認することにより前記重送を検出することを特徴とする（５）〜（８）の何れか１項に記載の小切手処理装置用ホストコンピュータ。
（１０）  前記制御部は、前記前記磁気文字情報が正しく読み取れているかどうかを確認することにより前記重送を検出することを特徴とする（５）〜（８）の何れか１項に記載の小切手処理装置用ホストコンピュータ。
（１１）  小切手処理装置と、前記小切手処理装置と通信可能に接続されたホストコンピュータとを備えた小切手処理システムであって、
（ａ）前記小切手処理装置は、
小切手を用紙搬送路に沿って一枚ずつ送り出す給紙部と、
前記小切手に関する小切手情報を取得する情報読取センサと、
前記小切手情報を前記ホストコンピュータに送信する送信部と、
前記小切手情報の送信後に前記ホストコンピュータから印字指示を受信する通信制御部と、
前記印字指示に応じて前記小切手に印字を行う印字部と、を備え、
（ｂ）前記ホストコンピュータは、
前記小切手処理装置に前記小切手情報の取得指示を送信する送信部と、
前記小切手処理装置から前記小切手情報を受信する受信部と、
前記小切手情報に基づいて前記小切手処理装置における小切手重送の有無を確認し、前記確認結果に応じて前記小切手処理装置に前記小切手への印字を指示する印字指示を行う制御部と、を備えたことを特徴とする小切手処理システム。
（１２）  前記情報読取センサは、
前記用紙搬送路に沿って配置されかつ前記小切手の画像情報を小切手情報として取得する画像読取センサと、
前記用紙搬送路に沿って配置されかつ前記小切手に印字された磁気文字から磁気文字情報を前記小切手情報として読み取るＭＩＣＲと、
前記用紙搬送路を搬送される前記小切手の厚さ情報を検出する重送検出器と、を備えたことを特徴とする（１１）記載の小切手処理システム。
（１３）  前記制御部は、前記厚さ情報に基づく重送確認、前記画像情報に基づく重送確認、及び前記磁気文字情報に基づく重送確認を行い、前記小切手の重送が検出されなかった場合に前記印字指示を受信することを特徴とする（１２）記載の小切手処理システム。
（１４）  前記ホストコンピュータは、
前記小切手処理装置から受信した前記厚さ情報、前記画像情報、及び前記磁気文字情報を表示する表示部と、
前記表示部に表示された前記厚さ情報、前記画像情報、及び前記磁気文字情報の正否を入力可能な入力部と、を有することを特徴とする（１２）または（１３）記載の小切手処理システム。
（１５）  前記画像情報は、前記小切手の表面画像情報と裏面画像情報とを備え、
前記制御部は、前記表面画像情報と前記裏面画像情報とを比較することにより前記重送を検出することを特徴とする（１２）〜（１４）の何れか１項に記載の小切手処理システム。
（１６）  前記制御部は、前記磁気文字情報が正しく読み取れているかどうかを確認することにより前記重送を検出することを特徴とする（１２）〜（１５）の何れか１項に記載の小切手処理システム。
（１７）  前記制御部は、前記前記磁気文字情報が正しく読み取れているかどうかを確認することにより前記重送を検出することを特徴とする（１２）〜（１６）の何れか１項に記載の小切手処理システム。
（１８）  小切手処理装置と、前記小切手処理装置と通信可能に接続されたホストコンピュータとを備えた小切手処理システムにおける小切手処理方法であって、
小切手を用紙搬送路に沿って一枚ずつ送り出すステップと、
前記小切手に関する小切手情報を取得するステップと、
前記小切手情報を前記ホストコンピュータに送信するステップと、
前記小切手情報に基づいて、前記小切手処理装置に前記小切手への裏書きを指示するステップと、
前記印字指示に応じて前記小切手に印字ステップと、を備えたことを特徴とする小切手処理方法。
（１９）  前記小切手情報は、前記小切手の画像情報と、前記小切手に印字された磁気文字から取得した磁気文字情報と、前記小切手の厚さ情報とを有することを特徴とする（１８）記載の小切手処理方法。
（２０）  前記画像情報、前記磁気文字情報、及び前記厚さ情報を表示するステップと、
前記画像表示部に表示された前記画像情報、前記磁気文字情報、及び前記厚さ情報に対する確認入力を受け付けるステップと、
前記確認結果に応じて、前記小切手が単独で搬送されていると判断するステップと、
前記小切手処理装置に前記小切手への裏書きを指示するステップと、を備えたことを特徴とする（１８）または（１９）記載の小切手処理方法。
【発明の効果】
【００１２】
本発明によれば、ホストコンピュータは、小切手重送の有無を確認するまで小切手処理装置に小切手への印字を実行させないように構成されている。すなわち、小切手処理装置は、小切手重送が無い場合にのみ小切手への印字、具体的には裏書き印字を行うよう構成されているので、小切手が重送されているにもかかわらず、一方の小切手のみが処理されて確認の印字が行われるといった不具合が生じない。したがって、本発明の小切手処理システムにおいては、小切手読み取りにおける読取ミスを防止し、銀行の窓口等において円滑に小切手処理を実行することが可能となる。
【発明を実施するための最良の形態】
【００１３】
次に、図面を参照しながら、本発明に係る小切手処理システム及び小切手処理方法の実施の形態を詳細に説明する。
【００１４】
図１は、本実施形態にかかる小切手処理システム１を示す図である。
本実施形態の小切手処理システム１は、小切手処理装置である複合処理装置１００と、複合処理装置１００と通信可能に接続された小切手処理装置用ホストコンピュータ２００（以下、単にホストコンピュータ２００と呼ぶ）と、小切手処理装置用ホストコンピュータ２００と通信可能に接続されたサーバ３００とを備えている。
【００１５】
本実施形態における小切手処理は、複合処理装置１００が小切手から磁気文字情報、表面画像情報、裏面画像情報及び用紙厚さ情報を取得し、これらの情報をホストコンピュータ２００に送信した後に、ホストコンピュータ２００が受信した磁気文字情報、表面画像情報、裏面画像情報及び用紙厚さ情報を基に小切手の重送が無いことをユーザであるオペレータを介して確認した後に印刷指示を複合処理装置１００に送信して、複合処理装置１００に小切手Ｓへの印字を実行させるものである。
【００１６】
まず、本実施形態の小切手処理装置である複合処理装置１００を具体的に説明する。
図２は、本発明に係る実施形態の複合処理装置１００を示す斜視図であり、図３は、複合処理装置１００における用紙搬送路を示す模式図であり、図４は、複合処理装置１００の内部構造を示す上面から見た模式図であり、図５及び図６は、筐体を取り除いた複合処理装置１００の斜視図である。
【００１７】
本実施形態の複合処理装置１００は、図２に示すように、給紙部３に装填される第１の読み取り媒体である小切手Ｓを筐体１００ａに形成された用紙搬送路Ｐ１に沿って搬送し、そしてカード挿入口２０から挿入される第２の読み取り媒体であるカードＣを同じく筐体１００ａに形成された用紙搬送路Ｐ２に沿って搬送可能に構成されている。具体的に、複合処理装置１００は、用紙搬送路Ｐ１に沿って小切手Ｓを搬送しながら、小切手Ｓ上の画像を読み取り、小切手Ｓに印字された磁気文字を読み取り、かつ小切手Ｓ上への印字を行う小切手処理装置であるとともに、用紙搬送路Ｐ２に沿ってカードＣを搬送しながら、カードＣ上の画像を読み取ることが可能なカード処理装置である。すなわち、本実施形態の複合処理装置１００は、小切手Ｓ及びカードＣの画像読取装置兼小切手Ｓの磁気文字読み取り装置兼小切手Ｓへの印字装置である。
【００１８】
図３に示すように、第１搬送路Ｐ１は、略Ｕ字型形状を有しており、また第２搬送路Ｐ２は、カードＣを搬送する直線形状を為している。第１搬送路Ｐ１と第２搬送路Ｐ２は、Ｕ形状の底の部分に相当する部位で共通となっており、以下の説明では、この部位を中間搬送路Ｍと呼ぶこととする。この中間搬送路Ｍには、複合処理装置１００には各種読取装置が設けられている。各種読取装置の詳細については後述する。
【００１９】
第１搬送路Ｐ１は、図３に示すように、外側ガイド２ａと内側ガイド２ｂによって画成されており、この外側ガイド２ａと内側ガイド２ｂ間の空間である搬送部２ｃ内に小切手Ｓが搬送されるように構成されている。小切手Ｓは、図４の矢印Ａの方向から給紙部３を介して第１搬送路Ｐ１に挿入される。給紙部３は、複数の小切手Ｓを装填可能に構成されており、複数の小切手Ｓを一枚ずつ第１搬送路Ｐ１内に送り出すことが可能である。
【００２０】
第１搬送路Ｐ１には、小切手Ｓの搬送を行う搬送機構として、中間搬送路Ｍの上流側に第１搬送ローラ６と、中間搬送路Ｍ中に中間搬送ローラ１６と、中間搬送路Ｍの下流側に第２搬送ローラ７が設けられている。
第１搬送ローラ６は、駆動ローラ６ａと、第１搬送路Ｐ１を介して駆動ローラ６ａに対向配置された押し付けローラ６ｂとを有している。また、第２搬送ローラ７は、駆動ローラ７ａと、第１搬送路Ｐ１を介して駆動ローラ７ａに対向配置された押し付けローラ７ｂとを有している。
また、中間搬送ローラ１６は、図４に示すように、第１搬送路Ｐ１の下方に配置された下部押えローラ１６ａと、下部押えローラ１６ａの上方に配置された上部押えローラ１６ｂと、中間搬送路Ｍを介して上部押えローラ１６ａ及び下部押えローラ１６ｂと対向配置された駆動ローラ１７とを有している。
【００２１】
第１搬送路Ｐ１内に送り出された小切手Ｓは、図４に示すように、第１搬送ローラ６、中間搬送ローラ１６、ならびに第２搬送ローラ７によって中間搬送路Ｍ内を搬送され、排出ローラ８を介して矢印Ｂの方向へ排出口４から排出される。また、本実施形態では、図５に示すように、第１搬送路Ｐ１の底部位置は高さＬ１に保たれており、小切手Ｓは中間搬送路Ｍを含む第１搬送路Ｐ１の底部に沿って高さＬ１を基準とした状態で搬送される。ここで、中間搬送ローラ１６に関しては、小切手Ｓの幅（高さ）が所定長さより短ければ、下部押えローラ１６ｂと駆動ローラ１７が小切手Ｓの搬送に寄与し、一方小切手Ｓの幅が所定長さ以上であれば上部押えローラ１６ａと下部押えローラ１６ｂの双方と駆動ローラ１７によって小切手Ｓは搬送される。
【００２２】
一方、第２搬送路Ｐ２は、図３および図４に示すように、中間搬送路Ｍと、その両端に連通するカード挿入口２０およびカード逆転路２１とから構成されている。
【００２３】
カード挿入口２０は、カードＣを中間搬送路Ｍに挿入するための挿入口である。カード挿入口２０の下方には、図４および図５に示すように、下部ガイド２４及び２４ａが設けられている。この下部ガイド２４，２４ａは、外側ガイド２ａの一部を構成するとともに、カードＣの下端部の高さをＬ２に保ち、カードＣは、この下部ガイド２４に案内されて、中間搬送路Ｍに挿入され、高さＬ２を基準とした状態で搬送される。すなわち、第２搬送路Ｐ２の下部位置は、この下部ガイド２４，２４ａを基準として高さＬ２に保たれている。なお、高さＬ１に保たれて第１搬送路Ｐ１を搬送される小切手Ｓは、この下部ガイド２４ａにより進行方向が曲げられて、排出口４のほうに搬送される。
【００２４】
上部押えローラ１６ａは、第２搬送路Ｐ２の高さＬ２よりも上方に取り付けられており、中間搬送路Ｍ内に搬送されたカードＣは、この上部押えローラ１６ａと駆動ローラ１７によって中間搬送路Ｍ内を搬送される。
【００２５】
カード逆転路２１は、図３中間搬送路Ｍの左側延長線に沿って形成された直線ガイド２１ａ、２１ｂによって形成されている。このカード逆転路２１の端部２１ｃ近傍には、正逆転搬送ローラ２２が設けられている。この正逆転搬送ローラ２２は、中間搬送路Ｍから搬送されたカードＣを所定長さカード逆転路２１の端部２１ｃから張り出させるように搬送し、そして端部２１ｃから張り出したカードＣを再度中間搬送路Ｍに搬送する。
【００２６】
具体的に、カードＣは、カード挿入口２０から中間搬送路Ｍ内に挿入されると、上部押えローラ１６ａと駆動ローラ１７によってカード逆転路２１まで搬送される。そして、カードＣは、このカード逆転路２１から正逆転搬送ローラ２２によって逆転搬送され、中間搬送路Ｍを通ってカード挿入口２０から排出される。このとき、カードＣは、第２搬送路Ｐ２内を下端部が高さＬ２に保たれた状態で搬送される。本実施形態では、第２搬送路Ｐ２の高さＬ２は、第１搬送路Ｐ１の高さＬ１よりも高い位置に配置されている。まとめると、カードＣは、中間搬送路Ｍ内を小切手Ｓよりも上方を通って搬送される。
【００２７】
以上説明したように、本実施形態では、小切手ＳとカードＣの搬送高さを変えることによって、特別な切替装置等を設けずに、Ｕ字型の第１搬送路と直線状の第２搬送路に異なる種類の読み込み媒体を搬送することができる。小切手ＳおよびカードＣの搬送についての説明は、以上である。
【００２８】
中間搬送路Ｍには、画像読み取りを行う第１の画像読み取りセンサ１１および第２の画像読み取りセンサ１２が設置されている。第１の画像読み取りセンサ１１および第２の画像読み取りセンサ１２は、それぞれＣＩＳ(Contact Image Sensor)タイプの画像読み取りセンサであり、中間搬送路Ｍを搬送される小切手ＳまたはカードＣの一面に光を照射し、小切手ＳまたはカードＣ上で反射した光を受光する。第１の画像読み取りセンサ１１および第２の画像読み取りセンサ１２は、中間搬送路Ｍ内を搬送される小切手ＳまたはカードＣ上の画像を１ラインずつ読み取ることにより、小切手ＳまたはカードＣの二次元画像を取得する。
【００２９】
第１用紙搬送路Ｐ１には、小切手Ｓの後端を検出するＢＯＦ（Bottom Of Form）検出器９とＴＯＦ(Top Of Form)検出器１０が設けられている。ＢＯＦ検出器９は、給紙部３と第１搬送ローラ６の間に設けられており、給紙部３から挿入された小切手Ｓを検出するととともに、ＢＯＦ検出器９を小切手Ｓが通過した時点を検出して、小切手Ｓの後端を検知する。ＴＯＦ検出器１０は、第１搬送ローラ６と第１の画像読み取りセンサ１１との間に設けられており、小切手Ｓの先端を検出するように構成されている。このように、ＢＯＦ検出器９、ＴＯＦ検出器１０により、小切手Ｓの先端・後端を検出することにより、小切手Ｓの長さを正確に測定することができる。本実施形態の複合処理装置１００は、このＢＯＦ検出器９とＴＯＦ検出器１０による小切手Ｓ検出に応じて動作するように構成されている。即ち、画像読み取りセンサ１１、１２による小切手Ｓの読み取りの開始・停止は、ＢＯＦ検出器９、ＴＯＦ検出器１０の出力に基づいて制御される。なお、画像読み取りセンサ１１、１２のいずれか一方を、小切手Ｓの先端を検出する検出器として用いても良く、この場合、ＴＯＦ検出器１０を省略できる。
【００３０】
また、第２搬送ローラ７と排出ローラ８との間であって、第１搬送路Ｐ１に沿った直線領域には、印刷ヘッド１４が配置されている。この印刷ヘッド１４は、小切手Ｓへの裏書を実行するためのものであり、必要に応じて小切手Ｓへの印字を行う。
【００３１】
また、第２用紙搬送路Ｐ２には、カードＣの後端を検出するＢＯＣ（Bottom Of Card）検出器２５とＴＯＣ(Top Of Card)検出器２６が設けられている。ＢＯＣ検出器２５は、カード挿入口２０近傍に設けられており、ここから挿入されたカードＣを検出するととともに、ＢＯＣ検出器２５をカードＣが通過した時点を検出して、カードＣの後端を検知する。ＴＯＣ検出器２６は、中間搬送ローラ１６と第２の画像読み取りセンサ１２との間に設けられており、カードＣの先端を検出するように構成されている。このように、ＢＯＣ検出器２５、ＴＯＣ検出器２６により、カードＣの先端・後端を検出することにより、カードＣの長さを正確に測定することができる。本実施形態の複合処理装置１００は、このＢＯＣ検出器２５とＴＯＣ検出器２６によるカードＣの検出に応じて動作するように構成されている。即ち、画像読み取りセンサ１１又は１２によるカードＣの読み取りの開始・停止は、ＢＯＣ検出器２５、ＴＯＣ検出器２６の出力に基づいて制御される。なお、画像読み取りセンサ１１、１２のいずれか一方を、カードＣの先端を検出する検出器として用いても良く、この場合、ＢＯＣ検出器及びＴＯＣ検出器２６の少なくとも一方を省略できる。
【００３２】
駆動ローラ１７の下方には、ＭＩＣＲ（Magnetic Inc Character Reader）１３が設置されている。ＭＩＣＲ１３は、小切手Ｓ上に磁気インクで記載された磁気文字情報を読み込むためのセンサである。このＭＩＣＲ１３は、中間搬送路Ｍを介してＭＩＣＲ１３に対向配置された押付レバー３０によって小切手ＳがＭＩＣＲ１３の表面に押し付けられた状態で読み取りを実行する。
【００３３】
また、ＭＩＣＲ１３の対向面には、ＭＩＣＲ１３の検出面１３ａに対して小切手Ｓを押し付ける押付レバー３０と、押付レバー３０が小切手Ｓを押し付けるときの押付レバー３０の変位量を検出する変位センサ４０とを備えており、この押付レバー３０と変位センサ４０によって重送検出器５０が構成されている。
【００３４】
具体的に、押付レバー３０は、回転軸３２を介してレバー本体３１が回動自在に取り付けられている。そして、レバー本体３１からＭＩＣＲ１３の検出面側に押付突起３３が突出している。レバー本体３１は、図示せぬ押付ばね等の弾性部材によってＭＩＣＲ１３側に付勢されており、この付勢力によって押付突起３３の先端面３３ａがＭＩＣＲ１３の検出面１３ａに当接した状態で固定されている。
【００３５】
そして、中間搬送路Ｍに小切手Ｓが搬送されると、小切手ＳはＭＩＣＲ１３と押付突起３３の間に送られ、この小切手Ｓの厚さに応じて、押付突起３３とともにレバー本体３１が回動する。そして、変位センサ４０は、その検出面４０ａとレバー本体３１に設けられた検出部位３４との間の距離を測定することにより小切手Ｓの厚さを測定する。すなわち、変位センサ４０は、押付レバー３０の変位量を検出することにより、押付レバー３０の変位量が所定値以上である場合には２枚の小切手Ｓが重送されたと判断することができる。
【００３６】
次に、図８〜図１０を参照しながら、本実施形態の複合処理装置１００を含む小切手処理システム１の制御について説明する。
図８は、本実施形態の複合処理システム１の制御ブロック図である。図９及び図１０は、本実施形態の複合処理システム１における小切手処理の流れを示すフローチャートである。
本実施形態の複合処理システム１においては、複合処理装置１００は、ホストコンピュータ２００と通信可能に接続され、ホストコンピュータ２００から送信される各種コマンドに応じて各種動作を実行する。また、ホストコンピュータ２００は、サーバ３００と通信可能に接続され、サーバ３００との通信を介して各種データの送受信を行っている。
【００３７】
まず、複合処理装置１００の制御ブロックについて説明する。
複合処理装置１００は、図２〜図６に示す各種機構を制御する制御部として、モータ制御部１１０、ＭＩＣＲ制御部１２０、画像読取センサ制御部１３０、印字制御部１４０、重送検出器制御部１５０、用紙挿入検出部１６０、メモリ１７０、中央制御部１８０、通信制御部１９０とを有している。
【００３８】
モータ制御部１１０は、複合処理装置１００中に設けられた各種駆動ローラの動作を制御する制御部である。具体的に、モータ制御部１１０は、中央制御部１８０の指示に応じて図示せぬモータを駆動制御することにより、第１用紙搬送路Ｐ１および第２用紙搬送路Ｐ２に沿って設けられた駆動ローラ６ａ，７ａ，８ａ，１７等を駆動させて、小切手ＳまたはカードＣの搬送を制御する。
【００３９】
ＭＩＣＲ制御部１２０は、ＭＩＣＲ１３の動作を制御する制御部である。ＭＩＣＲ制御部１２０は、具体的に、中央制御部１８０の指示に応じてＭＩＣＲ１２０の読取開始及び読取終了のためのタイミングを制御し、ＭＩＣＲ１３に小切手Ｓ上の磁気文字を読み取らせて、磁気文字情報を取得する。
【００４０】
画像読取センサ制御部１３０は、第１画像読取センサ１１及び第２画像読取センサ１２の動作を制御する制御部である。画像読取センサ制御部１３０は、具体的に、中央制御部１８０の指示に応じて第１画像読取センサ１１及び第２画像読取センサ１２の読取開始及び読取終了のためのタイミングを制御し、第１画像読取センサ１１及び第２画像読取センサ１２を介して小切手Ｓ上の表面画像及び裏面画像を読み取って、メモリ１７０内に小切手Ｓの表面及び裏面画像情報を生成させる。もちろん、このようにメモリ１７０に表面画像及び裏面画像を記憶させずに、これらを直接ホストコンピュータ２００に送信することも可能である。
【００４１】
印字制御部１４０は、印字部１４を制御する制御部であり、中央制御部１８０の指示に応じて小切手Ｓに所定の印字を行う。ここで、印字部１４が行う印字の例としては、小切手Ｓの裏面に記録される裏書き印字が挙げられる。
【００４２】
重送検出器制御部１５０は、重送検出器５０の変位センサ４０を制御する制御部であり、変位センサ４０が出力した厚さに対応する検出信号に応じて、検出した厚みに応じた用紙厚さ情報を生成する。なお、この重送検出器制御部１５０は、用紙厚さ情報を生成する代わりに、所定のしきい値に応じて用紙厚さが所定値以上であるかどうかを示する二値化信号を生成し、これを用紙厚さ情報とするように構成してもよい。
【００４３】
用紙検出部１６０は、ＢＯＦ検出器９、ＴＯＦ検出器１０、ＢＯＣ検出器２５、ＴＯＣ検出器２６等を制御する制御部であり、ＢＯＦ検出器９、ＴＯＦ検出器１０、ＢＯＣ検出器２５、ＴＯＣ検出器２６から得られた検出信号を基に小切手ＳやカードＣの有無を検出する。
【００４４】
メモリ１７０は、中央制御部１８０により実行されるファームウェアや各種設定情報が記憶されるデータ記憶領域である。また、メモリ１７０には、ＭＩＣＲ制御部１２０、画像読取センサ１３０、重送検出器制御部１５０により得られた磁気文字情報、表面及び裏面画像情報、用紙厚さ情報等が一時的に記憶される。また、ホストコンピュータ２００から送信される各種コマンドについても、このメモリ１７０に一時的に保存される。
【００４５】
中央制御部１８０は、メモリ１７０に記憶されたファームウェアを実行することにより、各種制御部１１０〜１６０を制御する制御部である。中央制御部１８０は、具体的に、ホストコンピュータ２００から受信する各種コマンドに応じて、各種制御部１１０〜１６０を制御することにより、小切手ＳまたはカードＣの搬送、画像読取、磁気文字読取、小切手Ｓへの印字、重送検出等を行う。
【００４６】
通信制御部１９０は、ホストコンピュータ２００との通信を行う通信インターフェースであり、ホストコンピュータ２００から送信される各種コマンドを受信する受信部、および生成された磁気文字情報、表面及び裏面画像情報、用紙厚さ情報のホストコンピュータ２００への送信等を行う送信部として機能する。
【００４７】
次に、ホストコンピュータ２００について説明する。
ホストコンピュータ２００は、表示部２１０、入力部２２０、メモリ２３０、中央制御部２４０、第１通信制御部２５０および第２通信制御部２６０を備えており、メモリ２３０内に保存されたアプリケーションプログラムを実行することにより、複合処理装置１００の制御を行い、複合処理装置１００から磁気文字情報、表面及び裏面画像情報、用紙厚さ情報等を取得するように構成されている。
【００４８】
表示部２１０は、各種画像情報または文字情報を表示するディスプレイであり、例えばＧＵＩ（Graphical User Interface）環境下において、データを入力するための入力画面、取得した各種情報を確認する確認画面等をアプリケーションプログラムに応じて表示する。
【００４９】
入力部２２０は、キーボード、マウス等から構成される入力装置で構成されている。ユーザであるオペレータは、この入力部２２０を介して、各種指示やデータをホストコンピュータ２００に入力する。
【００５０】
第１通信制御部２５０および第２通信制御部２６０は、それぞれ複合処理装置１００およびサーバ３００とのデータの送受信を行う通信インターフェースである。ホストコンピュータ２００は、この第１通信制御部２５０を介して各種コマンドを複合処理装置１００に送信し、またこの第１通信制御部２５０を介して磁気文字情報、表面及び裏面画像情報、用紙厚さ情報等の各種情報を受信する。また、ホストコンピュータ２００は、第２通信制御部２６０を介してサーバに各種要求を行ったり、サーバから各種情報を受信したりする。
【００５１】
次に、図９及び図１０に示すフローチャートを参照しながら、本実施形態における小切手処理システム１における小切手処理の方法について具体的に説明する。
【００５２】
まず、ホストコンピュータ２００は、中央制御部２４０において、複合処理装置１００に小切手Ｓの読み取りを実行させるためのトリガーとなる小切手処理コマンドを生成し、第１通信制御部２５０を介して複合処理装置１００に送信する（ステップＳ１）。
【００５３】
複合処理装置１００は、通信制御部１９０を介して小切手処理コマンドを受信する。受信された小切手処理コマンドは、メモリ１７０に一時的に保存される（ステップＳ２）。
中央制御部１８０は、小切手処理コマンドを受信すると、用紙検出部１６０を介して小切手Ｓが給紙部３に入っているかどうかを確認する。そして給紙部３に小切手Ｓが入れられるまで待機する（ステップ３）。
【００５４】
ステップＳ３において、用紙検出部１６０、具体的にはＢＯＦ検出器９により小切手Ｓが検出されると、中央制御部１８０は、モータ制御部１１０を介して図示せぬモータを駆動し、第１搬送ローラ６、中間搬送ローラ１６、第２搬送ローラ７等を回転させて小切手Ｓの搬送を開始する（ステップＳ４）。
【００５５】
そして、小切手Ｓが、第１搬送ローラ６、中間搬送ローラ１６、第２搬送ローラ７を介して第１及び第２画像読取センサ１１，１２まで搬送されると、中央制御部１８０は、画像読取センサ制御部１３０を駆動して第１及び第２画像読取センサ１１，１２に小切手Ｓの表面及び裏面の画像を読み取らせ、表面画像情報及び裏面画像情報を取得する。そして、中央制御部１８０は、取得した表面画像情報及び裏面画像情報を通信制御部１９０を介してホストコンピュータ２００に送信する（ステップＳ５）。
ホストコンピュータ２００は、第１通信制御部２５０を介してこれら表面画像情報及び裏面画像情報を受信し、メモリ２３０に一時保存する（ステップＳ６）。
【００５６】
次に、小切手Ｓは、ＭＩＣＲ１３まで搬送されると、中央制御部１８０は、ＭＩＣＲ制御部１２０を駆動してＭＩＣＲ１３に小切手Ｓに印字された磁気文字を読み取らせ、磁気文字情報を取得する。そして、中央制御部１８０は、取得した磁気文字情報を通信制御部１９０を介してホストコンピュータ２００に送信する（ステップＳ７）。
ホストコンピュータ２００は、第１通信制御部２５０を介してこの磁気文字情報を受信し、メモリ２３０に一時保存する（ステップＳ８）。
【００５７】
そして、ホストコンピュータ２００は、受信した磁気文字情報に対応する口座の有効性の照会を行うために、磁気文字情報を第２通信制御部２６０を介してサーバ３００に転送する。サーバ３００は、磁気文字情報を受信すると、磁気文字情報に対応する口座の口座番号の有無、口座に残っている残金等を確認し、照会結果をホストコンピュータ２００に返信する。そして、ホストコンピュータ２００は、この照会結果に応じて、該当する小切手Ｓの処理を続行するかどうかを判断する（ステップＳ９）。
なお、以下の説明では、この照会結果は、小切手Ｓの処理を続行するとして説明する。
【００５８】
複合処理装置１００の中央制御部１８０は、ＭＩＣＲ１３による磁気文字読み取りを行わせると同時に、重送検出器制御部１５０を介してＭＩＣＲ１３に対向配置された重送検出器５０の出力から小切手Ｓの厚さを検出し、用紙厚さ情報を取得する。そして、中央制御部１８０は、取得した用紙厚さ情報を通信制御部１９０を介してホストコンピュータ２００に送信する（ステップＳ１０）。
ホストコンピュータ２００は、第１通信制御部２５０を介してこの用紙厚さ情報を受信し、メモリ２３０に一時保存する（ステップＳ１１）。
【００５９】
次に、複合処理装置１００のモータ制御部１１０は、小切手Ｓを印字部１４による印字可能位置まで搬送して、モータの駆動を停止して用紙搬送を停止する。すなわち、小切手Ｓは、印字部１４による印字可能位置にて待機させられる（ステップＳ１２）。
【００６０】
そして、ホストコンピュータ２００の中央制御部２４０は、メモリ２３０に一時保存された表面画像情報、裏面画像情報、磁気文字情報、用紙厚さ情報を読み出し、表示部２１０に表示する（ステップＳ１３）。
【００６１】
図１１は、表示部２１０に表示される画面表示の一例である。
図１１に示すように、表示部２１０上には、ＧＵＩ環境下の表示画面２１１内に表面画像情報を表示する表面画像表示領域２１２と、裏面画像情報を表示する裏面画像表示領域２１３と、磁気文字情報を表示する磁気文字情報表示領域２１４と、用紙厚さ情報から算出される重送チェック結果を表示する重送チェック結果表示領域２１５が設けられている。オペレータは、この表示画面２１１を確認することにより、正しく小切手Ｓの画像が取得されているか、磁気文字情報が正確に読み取れているか、重送チェック結果が問題ないかを確認することができる。
また、表面画像情報を基に表示された表面画像に表示された磁気文字と、磁気文字情報を基に算出され表示された磁気文字の内容が同一画面に表示されているため、オペレータは双方が一致しているかどうか、すなわちＭＩＣＲ１３が正しく磁気文字を読み取ったかどうかを確認することができる。
【００６２】
そして、オペレータは、この表示画面２１１を確認して、問題がなければ、例えば、表示画面２１１上に設けられた「チェック結果問題無し」チェックボタン２１６を入力部２２０、具体的にはマウスを用いてクリックし、また問題があれば、同じく表示画面２１１上に設けられた「チェック結果問題有り」チェックボタン２１７をマウス（入力部２２０）を用いてクリックして確認結果をホストコンピュータ２００に入力する。
ホストコンピュータ２００は、このオペレータによる確認入力を受け取るまで待機し、確認入力がなされるとステップＳ１５に移行する（ステップＳ１４）。
【００６３】
ステップＳ１５では、ユーザが入力した確認結果が「チェック結果問題有り」であるか、「チェック結果問題無し」であるかを確認する。そして、ユーザが入力した確認結果が「チェック結果問題無し」であれば、ステップＳ１６へ移行し、中央制御部２４０は、小切手Ｓへの裏書き印字を指示する裏書きコマンドを第１通信制御部２５０を介して複合処理装置１００に送信する。
【００６４】
複合処理装置１００は、ホストコンピュータ２００から裏書きコマンドを受信すると、この受信した裏書きコマンドを一時的にメモり１７０に保存する（ステップＳ１７）。
そして、複合処理装置１００の中央制御部１８０は、裏書きコマンドに応じて印字制御部１４０を駆動し、印字部１４を介して小切手Ｓへの裏書き印字を行わせる（ステップＳ１８）。裏書き印字が終了すると、モータ制御部１１０が再度駆動されて小切手Ｓの搬送が行われ、小切手Ｓは、排出口４から排出される（ステップＳ１９）。
小切手の重送等の問題が無い場合には、以上により小切手Ｓの読み取りは終了する。
【００６５】
一方、ステップＳ１５において、オペレータが入力した確認結果に問題があった場合には、表示部２１０を介してオペレータに磁気文字情報の良否を問い合わせる（ステップＳ２０）。
そして、完全に磁気文字情報が読み取れていない等、磁気文字情報に問題がある場合には、ステップＳ２１に移行し、オペレータに磁気文字情報を入力部２２０を介して入力するように指示する画面を表示部２１０に表示させる。この表示部２１０に表示される画面には、例えば表面画像も同時に表示し、オペレータが表面画像に表示されている磁気文字を見ながら入力できるように構成してもよい。そしてオペレータによる入力が終了すると、ステップＳ１５に戻る。
【００６６】
逆に、磁気文字情報が正しく読み取れている場合には、画像情報または用紙厚さ情報に対応する何らかの不具合が生じていると考えられるため、「画像情報または用紙厚さ情報に対応する何らかの不具合が生じているため、エラー終了します。再度小切手を給紙部に入れて下さい」等のメッセージを表示部２１０に表示し、エラー終了する（ステップＳ２２）。
なお、用紙厚さのエラー、すなわち重送の有無については、ホストコンピュータ２００の中央制御部２４０は、検出された用紙厚さ情報を基に一意に判断可能であるため、重送があった場合にはその時点でエラー終了するように構成してもよい。
【００６７】
次に、本実施形態の小切手処理システム１が、表面画像情報、裏面画像情報、磁気文字情報、用紙厚さ情報を基に小切手Ｓの重送を検出する場合の例を、図１２を参照して具体的な小切手Ｓの重送のパターンを示しながら説明する。
【００６８】
図１２は、小切手の重送における小切手の重ね合わせパターンを示す図である。
まず、図１２（ａ）は、小切手Ｓ１と小切手Ｓ２が裏面同士が背中合わせで重ね合わされた状態で重送される場合を示している。図１２（ａ）では、紙面表側がＵ字型の第１用紙搬送路Ｐ１の内周側（内側ガイド２ｂ側）に向けられた状態であるとして説明する（図１２（ｂ）〜図１２（ｄ）についても同様に、紙面表側がＵ字型の第１用紙搬送路Ｐ１の内周側に向けられた状態を示す）。
【００６９】
この状態で小切手Ｓ１と小切手Ｓ２が搬送されると、重送検出器５０によって小切手の用紙厚さが検出されるが、この検出値は重送検出器５０が正しく動作すれば小切手２枚分の厚さとして検出される。
また、この状態では、第２画像読取センサ１２によって小切手Ｓ１の表面が読み取られ、そして第１画像読取センサ１１によって小切手Ｓ２の表面が読み取られる。
また、小切手Ｓ１と小切手Ｓ２の磁気文字の印字位置がほぼ同一位置であれば、小切手厚さ方向に磁気文字が一部重なってしまう。この小切手厚さ方向への磁気文字の重なり部分については、ＭＩＣＲ１３による磁気文字読み取りが正確に行われず、不正確な磁気文字情報しか得られなくなってしまう。
【００７０】
このように、図１２（ａ）に示す状態で小切手が搬送されてしまうと、用紙厚さ情報は、小切手２枚分の厚さであるとする情報となっているため、オペレータに判断させるまでもなく、ホストコンピュータ２００は、小切手の重送がなされた可能性があると判断することができ、エラー表示を出力して、小切手の読み取りを中断させることができる。
【００７１】
一方、万が一、重送検出器５０の誤作動や小切手の搬送状態等によって用紙厚さ情報が異常として検出されなかった場合であっても、例えば図１１に示すような画面には、表面画像領域２１２に小切手Ｓ１の表面画像が表示され、そして裏面画像領域２１３に小切手Ｓ２の表面画像が表示されることとなるため、オペレータは一目で正しい読み取りが行われていないと判断することができる。
また、磁気文字情報についても正しく読み取れていないため、磁気文字情報表示領域２１４に表示される磁気文字も不正確または読み取り不能なものとなってしまうため、オペレータは一目で正しい読み取りが行われていないと判断することができる。
【００７２】
したがって、図１２（ａ）に示す状態で小切手が重送された場合には、基本的には用紙厚さ情報に基づいて小切手の重送を検知し、万が一用紙厚さ情報が不正確であり重送を検出できなかった場合でも、表面画像情報及び裏面画像情報、または磁気文字情報の読み取り状態に基づいて、オペレータは、異常の発生に気がつくことが可能である。
【００７３】
次に、図１２（ｂ）は、小切手Ｓ３の裏面と小切手Ｓ４の表面が接触した状態で重ね合わされて重送される場合を示している。
この状態で小切手Ｓ３と小切手Ｓ４が搬送されると、重送検出器５０によって小切手の用紙厚さが検出されるが、この検出値は重送検出器５０が正しく動作すれば小切手２枚分の厚さとして検出される。
また、この状態では、第２画像読取センサ１２によって小切手Ｓ３の表面が読み取られ、そして第１画像読取センサ１１によって小切手Ｓ４の裏面が読み取られる。
また、小切手Ｓ３と小切手Ｓ４の磁気文字の印字位置がほぼ同一位置であれば、小切手厚さ方向に磁気文字が重なってしまう。この小切手厚さ方向への磁気文字の重なり部分については、ＭＩＣＲ１３による磁気文字読み取りが正確に行われず、不正確な磁気文字情報しか得られなくなってしまう。
【００７４】
このように、図１２（ｂ）に示す状態で小切手が搬送される場合には、万が一、重送検出器５０の誤作動や小切手の搬送状態等によって用紙厚さ情報が異常として検出されなかった場合でも、例えば図１１に示すような画面には、表面画像領域２１２に小切手Ｓ３の表面画像が表示され、そして裏面画像領域２１３に小切手Ｓ４の裏面画像が表示されることとなる。この状態では、オペレータは小切手Ｓ４の裏面画像を小切手Ｓ３の表面画像であると判断してしまう可能性もあるため、画像情報に基づいての重送の有無の判断は難しい。
しかしながら、この場合には、磁気文字情報についても正しく読み取れていないため、磁気文字情報表示領域２１４に表示される磁気文字も不正確または読み取り不能なものとなってしまうため、オペレータは一目で正しい読み取りが行われていないと判断することができる。
【００７５】
したがって、図１２（ｂ）に示す状態で小切手が重送された場合には、基本的には用紙厚さ情報に基づいて小切手の重送を検知し、万が一用紙厚さ情報が不正確であり重送を検出できなかった場合でも、磁気文字情報の読み取り状体に基づいて、オペレータは、異常の発生に気がつくことが可能である。
【００７６】
次に、図１２（ｃ）は、小切手Ｓ５と小切手Ｓ６が裏面同士が背中合わせで重ね合わされた状態でかつ小切手Ｓ６の向きが小切手Ｓ５に対して上下逆の状態で重送される場合を示している。
【００７７】
この状態で小切手Ｓ５と小切手Ｓ６が搬送されると、重送検出器５０によって小切手の用紙厚さが検出されるが、この検出値は重送検出器５０が正しく動作すれば小切手２枚分の厚さとして検出される。
また、この状態では、第２画像読取センサ１２によって小切手Ｓ５の表面が読み取られ、そして第１画像読取センサ１１によって小切手Ｓ６の表面が小切手Ｓ５と上下逆の状態で読み取られる。
また、小切手Ｓ５と小切手Ｓ６の磁気文字については、印字位置がほぼ同一位置であっても、小切手Ｓ６の向きが小切手Ｓ５に対して上下逆の状態で重なっているため小切手厚さ方向には磁気文字が重ならない。したがって、ＭＩＣＲ１３は、小切手Ｓ５の磁気文字を正確に読み取る。
【００７８】
このように、図１２（ｃ）に示す状態で小切手が搬送された場合には、万が一、重送検出器５０の誤作動や小切手の搬送状態等によって用紙厚さ情報が異常として検出されなかった場合であっても、例えば図１１に示すような画面には、表面画像領域２１２に小切手Ｓ５の表面画像が表示され、そして裏面画像領域２１３に小切手Ｓ６の表面画像が上下逆さまで表示されることとなるため、オペレータは一目で正しい読み取りが行われていないと判断することができる。
一方、磁気文字情報については、表面画像に表示された磁気文字と同一のものが正しく読み取れてしまうため、オペレータは磁気文字情報に基づく重送の有無について判断はできない。
【００７９】
したがって、図１２（ｃ）に示す状態で小切手が重送された場合には、基本的には用紙厚さ情報に基づいて小切手の重送を検知し、万が一用紙厚さ情報が不正確であり重送を検出できなかった場合でも、表面画像情報及び裏面画像情報の読み取り状態に基づいて、オペレータは、異常の発生に気がつくことが可能である。
【００８０】
次に、図１２（ｄ）は、小切手Ｓ７の裏面と小切手Ｓ８の表面が接触した状態で重ね合わされた状態でかつ小切手Ｓ８の向きが小切手Ｓ７に対して上下逆の状態で重送される場合を示している。
【００８１】
この状態で小切手Ｓ７と小切手Ｓ８が搬送されると、重送検出器５０によって小切手の用紙厚さが検出されるが、この検出値は重送検出器５０が正しく動作すれば小切手２枚分の厚さとして検出される。
この場合には、第２画像読取センサ１２によって小切手Ｓ７の表面が読み取られ、そして第１画像読取センサ１１によって小切手Ｓ８の裏面が小切手Ｓ７と上下逆の状態で読み取られる。
また、小切手Ｓ７と小切手Ｓ８の磁気文字については、印字位置がほぼ同一位置であっても、小切手Ｓ８の向きが小切手Ｓ７に対して上下逆の状態で重なっているため小切手厚さ方向には磁気文字が重ならない。したがって、ＭＩＣＲ１３は、小切手Ｓ７の磁気文字を正確に読み取る。
【００８２】
このように、図１２（ｄ）に示す状態で小切手が搬送された場合には、重送検出器５０の誤作動や小切手の搬送状態等によって用紙厚さ情報が異常として検出されなかった場合、例えば図１１に示すような画面には、表面画像領域２１２に小切手Ｓ７の表面画像が表示され、そして裏面画像領域２１３に小切手Ｓ８の裏面画像が上下逆さまで表示されることとなる。ここで、小切手Ｓ８の裏面が上下を区別することができるものであれば、オペレータは、表面画像との対比により異常に気がつくことができるが、一般に小切手の裏面は、上下の識別が容易でないため、オペレータは一目で正しい読み取りが行われていないと確実に判断することは難しい。
また、磁気文字情報については、表面画像に表示された磁気文字と同一のものが正しく読み取れてしまうため、オペレータは磁気文字情報に基づく重送の有無について判断はできない。
【００８３】
したがって、図１２（ｄ）に示す状態で小切手が重送された場合には、用紙厚さ情報に基づいて小切手の重送を検知することにより、重送検出を行うこととなる。このように、図１２（ｄ）の場合には、図１２（ａ）〜図１２（ｃ）とは異なり、用紙厚さ情報、すなわち重送検出器５０の検出結果にしか頼ることができないが、図１２（ｄ）のような状態になるのは、全ての重送発生件数のうち１／４程度であり、残りの３／４については、二つ以上の検出器を用いたダブルチェックが可能であるため、全体で比較すると重送の検出もれの発生確率を低減させることが可能である。
【００８４】
また、図１２（ｄ）のような状態となった場合には、重送についてダブルチェックが行えないことが理解されているため、図１２（ｄ）のような状態、つまり小切手Ｓ７の裏面と小切手Ｓ８の表面が接触した状態で重ね合わされた状態でかつ小切手Ｓ８の向きが小切手Ｓ７に対して上下逆の状態とならないように、予め給紙部３に小切手を配置することにより、常に重送に関して２つ以上の検出器を用いたチェックが行えるようになる。
【００８５】
また、小切手Ｓ８のように上下逆の状態で搬送されること防止する機構、例えば小切手Ｓ８のような上下逆の状態となったときに小切手Ｓの磁気文字の磁気を検出可能な位置に磁気センサを設け、この磁気センサが磁気を検知したときには、少なくとも小切手が上下逆に搬送されているとしてエラーとするように構成してもよい。このようにすることにより、より確実に重送を検知することができる。
【００８６】
以上説明したように、本実施形態の小切手処理システム１は、小切手処理装置１００と、小切手処理装置１００と通信可能に接続されたホストコンピュータ２００とを備えている。
そして、小切手処理装置１００は、小切手Ｓを第１の用紙搬送路Ｐ１に沿って一枚ずつ送り出す給紙部３と、小切手Ｓに関する小切手情報を取得する情報読取センサとして、第１の用紙搬送路Ｐ１に沿って配置されかつ小切手Ｓの画像情報を取得する画像読取センサ１１，１２と、第１の用紙搬送路Ｐ１に沿って配置されかつ小切手Ｓに印字された磁気文字から磁気文字情報を読み取るＭＩＣＲ１３と、第１の用紙搬送路Ｐ１を搬送される小切手Ｓの厚さ情報を検出する重送検出器５０と、を備えている。さらに、小切手処理装置１００は、小切手情報をホストコンピュータ２００に送信する送信部及び小切手情報の送信後にホストコンピュータ２００から印字指示を受信する受信部としての通信制御部１９０と、印字指示に応じて小切手Ｓに印字を行う印字部４と、を備えている。
【００８７】
また、ホストコンピュータ２００は、小切手処理装置１００に小切手情報の取得指示を送信する送信部及び小切手処理装置１００から小切手情報を受信する受信部としての通信制御部２５０と、小切手情報に基づいて小切手処理装置１００における小切手重送の有無を確認し、確認結果に応じて小切手処理装置１００に小切手Ｓへの印字を指示する印字指示を行う中央制御部２４０と、を備えている。
【００８８】
本実施形態によれば、ホストコンピュータ２００は、小切手重送の有無を確認するまで小切手処理装置１００への印字を実行させないように構成されている。すなわち、小切手処理装置１００は、小切手重送が無い場合にのみ小切手Ｓへの印字、具体的には裏書き印字を行うよう構成されているので、小切手が重送されているにもかかわらず、一方の小切手のみが処理されて確認の印字が行われるといった不具合が生じない。したがって、本実施形態の小切手処理システム１においては、小切手読み取りにおける読取ミスを防止し、銀行の窓口等において円滑に小切手処理を実行することが可能となる。
【００８９】
また、本実施形態によれば、中央制御部２４０は、厚さ情報に基づく重送確認、画像情報に基づく重送確認、及び磁気文字情報に基づく重送確認を行い、小切手の重送が検出されなかった場合に前記印字指示を送信するように構成されている。すなわち、本実施形態では、厚さ情報、画像情報、磁気文字情報の３種類の情報を基に三重の重送確認を行っているため、例として厚さ検出のみを行う重送検出と比べて重送検出の信頼性が高く、小切手読み取りにおける読取ミスをさらに減少させることが可能となる。
【００９０】
ホストコンピュータ２００は、小切手処理装置１００から受信した厚さ情報、画像情報、前記磁気文字情報を表示する表示部２１０と、表示部２１０に表示された厚さ情報、画像情報、及び磁気文字情報の正否を入力可能な入力部２２０と、を有している。
したがって、ユーザであるオペレータは、表示部２１０の表示内容を確認しながら重送の有無をチェックすることができ、万が一重送が発生していた場合であっても、入力部２２０を介して厚さ情報、画像情報、及び磁気文字情報の正否を入力することにより、小切手Ｓの読取が不正確なまま処理されて排出されることをオペレータが逐一確認することが可能である。
【００９１】
具体的には、画像情報は、前記小切手の表面画像情報と裏面画像情報とを備え、中央制御部２４０は、表面画像情報と裏面画像情報とを比較することにより重送を検出することが可能である。また、中央制御部２４０は、磁気文字情報が正しく読み取れているかどうかを確認することにより前記重送を検出することが可能である。また、中央制御部２４０は、磁気文字情報が正しく読み取れているかどうかを確認することにより重送を検出することが可能である。
【図面の簡単な説明】
【００９２】
【図１】本発明にかかる小切手処理システムの実施形態を示す概略図である。
【図２】本実施形態の複合処理装置を示す斜視図である。
【図３】本実施形態の複合処理装置の用紙搬送路を示す模式図である。
【図４】本実施形態の複合処理装置の内部構造を示す模式図である。
【図５】本実施形態の複合処理装置から筐体を取り除いた複合処理装置の斜視図である。
【図６】本実施形態の複合処理装置から筐体を取り除いた複合処理装置の斜視図である。
【図７】重送検出器を示す模式図である。
【図８】本実施形態の複合処理システムの制御ブロック図である。
【図９】本実施形態の複合処理システムにおける小切手処理の流れを示すフローチャートである。
【図１０】本実施形態の複合処理システムにおける小切手処理の流れを示すフロー  チャートである。
【図１１】表示部に表示される画面表示の一例である。
【図１２】小切手の重送における小切手の重ね合わせパターンを示す図である。
【符号の説明】
【００９３】
１・・小切手処理システム  ２ａ・・外側ガイド  ２ｂ・・内側ガイド  ３・・給紙部  ４・・排出口  １１，１２・・画像読取センサ  １３・・ＭＩＣＲ  ３０・・押付レバー  ４０・・変位検出センサ  ５０・・重送検出装置  １００・・複合処理装置（小切手処理装置）  ２００・・ホストコンピュータ  ３００・・サーバ
【図１】
2005149013.tif 000003
【図２】
2005149013.tif 000004
【図３】
2005149013.tif 000005
【図４】
2005149013.tif 000006
【図５】
2005149013.tif 000007
【図６】
2005149013.tif 000008
【図７】
2005149013.tif 000009
【図８】
2005149013.tif 000010
【図９】
2005149013.tif 000011
【図１０】
2005149013.tif 000012
【図１１】
2005149013.tif 000013
【図１２】
2005149013.tif 000014